(57)【特許請求の範囲】
【請求項１】
取付軸は、筒状の軸部と頭部を有し、前記軸部の略中央部の円周の互いに対称する位置に一対の係止爪を設け、前記軸部の軸端に前記一対の係止爪の軸方向延長線上位置に互いに対称する一対の突子を設けた合成樹脂材から一体成形により形成し、外板と、仕切板と裏板とは、互いに重合貫通する位置に前記取付軸を挿着する透孔を穿設し且つこれらの透孔の円周に互いに対称する一対の切欠を穿設し、機構板は、前記取付軸の軸部を挿通する透孔を貫通穿設し且つこの透孔の円周に前記外板、仕切板及び裏板に備える透孔の切欠に対して直交する位置に互いに対称する一対の切欠を設け、前記取付軸の頭部と係止爪とで外板と仕切板と裏板を挟着自在せしめて軸端を裏板の外方へ突出し、そして前記裏板から突出する取付軸の軸端を機構板の透孔に貫通挿着して一対の突子を機構板の透孔の円周縁に係着自在せしめてなることを特徴とするパチンコ機のカーブレールの組み立て並びに取付構造。
【発明の詳細な説明】
【０００１】
【産業上の利用分野】
本発明は、カーブレールの組立とこのカーブレールの機構板への取付を同じ取付軸により同軸に挿着することを可能にしたパチンコ機のカーブレールの組立並びに取付構造に関するものである。
【０００２】
【従来の技術】
従来、パチンコ機のカーブレールは、外板と裏板の間に仕切壁を重ね合わせて複数条の球流路を設けて組み立てられ、そしてこのカーブレールには球抜き装置及び球切れ検知装置が組み込まれてなるものが提供されている。
【０００３】
【発明が解決しようとする課題】
従来の技術で述べたカーブレールは、外板と仕切板と裏板とを重ね合わせてビス止めにより組立保持し、そして組立られたカーブレールは他のビスにより機構板にビス止めにより取付けている。このように、カーブレール自体の組立に使用するビスと、カーブレールを機構板に取りつけるためのビスとのそれぞれ個々別個の２種類のビスを必要とし、また外板、仕切板、裏板にはカーブレールを組立るためのビス止め機構と機構板に取付けるためのビス止め機構を別個に設ける必要があり、このことは、カーブレールの構造を複雑にし、しかも、カーブレールの組立工程と機構板への取付工程との２工程が独立して存在し、カーブレールの組立から機構板への取付までの作業の能率性を悪くする原因となる等の問題点があった。
【０００４】
また、確実なビス止めを得るために、前記カーブレールの組立と機構板への取付に使用するビスは、金属製の軸の使用を余儀なくされているが、金属製の軸は高価で不経済である等の問題点があった。
【０００５】
本発明は、上記の点に鑑みてなされたもので、その目的とするところは、カーブレールの組立とこのカーブレールの機構板への取付を同じ取付軸により同軸に挿着設置することを可能にし、取付軸は、合成樹脂材から一体成形により容易に形成し、部品点数を削減すると共に組立ても簡便にして作業性を向上したカーブレールの組立並びに取付構造を提供するものである。
【０００６】
【発明が解決するための手段】
上記の目的を達成するために、本発明におけるパチンコ機のカーブレールの組立並びに取付構造において、取付軸は、筒状の軸部と頭部を有し、前記軸部の略中央部の円周の互いに対称する位置に係止爪を設け、前記軸部の軸端に前記一対の係止爪の軸方向延長線上位置に互いに対称する一対の突子を設けた合成樹脂材から一体成形により形成し、外板と、仕切板と裏板は、互いに重合貫通する位置に前記取付軸を挿着する透孔を穿設し且つこれらの透孔の円周に互いに対称する一対の切欠部を穿設し、機構板には、前記取付軸の軸部を挿通する透孔を貫通穿設し且つこの透孔の円周に前記外板、仕切板及び裏板の透孔に設けた切欠に対して直交する位置に互いに対称する一対の切欠を設け、前記取付軸の軸部を前記外板の透孔から仕切板と裏板取の透孔へ挿通して係止爪を裏板へ貫通させてこの取付軸を９０度回転して取付軸の頭部と係止爪とで外板と仕切板と裏板を挟着し、軸端を裏板の外方へ突出させてカーブレールを組み立て、この組み立てられたカーブレールを、前記裏板から突出する取付軸の軸端を機構板の透孔に貫通挿着して９０度回転することにより軸端に設けられた一対の突子を機構板の透孔の円周に係着自在せしめてなるものである。
【０００７】
【作用】
カーブレールを組立てる作業において、外板、仕切板、裏板を重ね合わせ、取付軸の軸部を、その軸端に設けた突子を外板の透孔の切欠に合致させて挿入し、そしてこの外板の透孔から仕切板の透孔と裏板の透孔へ貫通させると、軸部の中央部に設けられた係止爪がこの外板と仕切板と裏板のそれぞれの透孔の切欠を通り抜けて裏板の外側面に抜け出る。そこで取付軸を９０度回転することにより係止爪を裏板の円周の外側縁に係着し、そして取付軸の頭部と前記係止爪とにより外板と裏板を挟着してカーブレールが組み立て保持される。このカーブレールを組み立て保持した状態において、取付軸の軸部の軸端は裏板を貫通して軸端の突子を裏板の外側面からやや離れて突出位置する。
【０００８】
組立終了したカーブレールを機構板に取り付ける作業において、カーブレールを機構板の位置決め軸に装着したとき、カーブレールの裏板の前記透孔と機構板の透孔が合致するが、機構板の透孔の切欠とカーブレールの透孔の切欠、即ち裏板の透孔の切欠とは互いに直交する位置関係となり、そしてカーブレールの裏板から突出する軸端の一対の突子は機構板の透孔の切欠に合致する位置となる。そこで、カーブレールの裏板から突出する取付軸の軸部を、機構板に設けられる透孔に挿通すると、先端の突子が透孔の切欠を通ってこの突子が機構板の裏側へ突出する。そして、取付軸を９０度回転させて機構板の透孔の円周の裏側縁に係合することにより、カーブレールを機構板に固定設置される。取付軸の回転は、外板の表面に設けたストッパで９０度の回転範囲が自動的に制御される。それ故にカーブレールの組み立てにおいて、時計回りに９０度回転した取付軸は、裏板から突出した一対の突子が機構板の透孔の一対の切欠に合致する位置にする。また、機構板に挿着した取付軸はカーブレールの組み立てと反対する方向、即ち時計の反対回りに９０度回動させることになる。
【０００９】
【実施例】
以下本発明の一実施例を図面に基づいて説明すると、図１は、パチンコ機の裏面図で、１は遊戯盤、２は遊戯盤の後面に取外し可能に配置された機構板、３はその上方に取付けられた賞球タンク、４は賞球タンク３内の賞球をカーブレール５を介して賞球放出装置６に導く誘導樋を示す。
【００１０】
図２は本発明に係るカーブレールの分解斜視図、図３は取付軸を挿入する前の外板の側から示すカーブレールの組立斜視図で、カーブレール５は、球流路７を有する外板８と、球流路９を有する裏板１０との間に、仕切板１１を重ね合わせて、第一球流路７ａ、第二球流路９ａとの２条の球流路を備えられ、各球流路７ａ，９ａにはパチンコ球の有無を検出する機能を備えた可動片１２及びこの可動片１２により接続する光電スイッチ１３からなる球切れ検知装置と球抜き装置１４が組み込まれ、取付軸１５により、図４、図５に示すカーブレール５が組み立て保持される。
【００１１】
前記取付軸１５は、図２、図３に示すように、筒状の軸部１６に頭部１７を有し、この軸部１６の中央部の円周の互いに対称する位置に一対の係止爪１８、１８を設け、軸部１６の軸端には、前記一対の係止爪１８、１８の軸方向の延長線上となる位置に互いに対称する一対の突子１９、１９を突設して形成する。
【００１２】
前記外板８は、図２に示すように、球流路７の奥部の湾曲部に有する短筒２０に前記取付軸１５の軸部１６を挿通させる透孔２１を設け、この透孔２１の外周の互いに対称する位置に前記軸部１６の軸端に有する一対の突子１９、１９及び係止爪１８、１８を挿通させる一対の切欠２２，２２を穿設する。この短筒２０に備える透孔２１は、外板８の上部、中央部及び下部の３か所に設けられる。
【００１３】
前記裏板１０は、前記外板８と同様に、球流路９の奥部の湾曲部に有する短筒２３に前記取付軸１５を挿通させる透孔２４を穿け、この透孔２４の外周の互いに対称する位置に前記取付軸１５の軸端に有する一対の突子１９，１９及び係止爪１８、１８を挿通させる一対の切欠２５，２５を穿設する。この透孔２４は、前記短筒２３を透孔２４より大径に形成して短筒２３の内側開口面を囲む内側フランジ２６によって形成し、取付軸１５の軸部１６を透孔２４に挿通させたときに、係止爪１８が切欠２５、２５を通って透孔２４の円周の裏側縁、即ちフランジ２６の裏側に係着するようにし、そして係止爪１８，１８が短筒２３の中に納められて裏板１０の外面へ露出しないようにするのが好ましい。この短筒２３のフランジ２６によって囲まれる透孔２４は裏板１０の上部、中央部及び下部の３か所に設けられる。
【００１４】
前記仕切板１１は前記取付軸１５の軸部１６を挿通させる透孔２７を設け、この透孔２７の円周の互いに対称する位置に取付軸１５の軸端の一対の突子１９、１９及び係止爪１８、１８を挿通させる一対の切欠２８，２８を穿設して形成する。この透孔２７は仕切板１１の上部及び中央部に設けられる。
【００１５】
前記外板８、仕切板１１及び裏板１０を重ね合わせた際に、それぞれ上部、中央部及び下部に設けられたそれぞれの透孔２１，２７，２４とそれぞれの切欠２２、２８、２５が重合貫通し、前記取付軸１５の軸部１６を外板８の側から挿通させ、取付軸１５を時計回りに９０度回転させたときに、係止爪１８を裏板１０の透孔２４の円周の裏側縁に係合させ、そして取付軸１５の頭部１７と係止爪１８の間に前記外板８、仕切板１１及び裏板１０を挟着してカーブレール５を組み立て保持する。この状態で、取付軸１５の軸端の一対の突子１９，１９は裏板１０の外方ヘ突出位置している。
【００１６】
前記機構板２は、前記カーブレール５の各外板８、仕切板１１及び裏板１０のそれぞれの透孔２１、２８、２４に重合貫通する透孔２９が穿設され、この透孔２９の円周には、前記各外板８、仕切板１１及び裏板１０の透孔２１、２７、２４の切欠２２、２８、２５に対して直交する位置に互いに対称する一対の切欠３０、３０が設けられる。また、前記機構板２には、カーブレール５の位置決め軸３１が上下位置に突設設置され、前記外板８、仕切板１１及び裏板１０のそれぞれ上部及び下部に前記位置決め軸３１を挿着する筒軸３２，３４，３３が設けられている。
【００１７】
前記取付軸１５により組み立て保持されたカーブレール５は、前記位置決め軸３１に筒軸３２〜３４を挿着したとき、カーブレール５の裏板１０から突出する取付軸１５の軸部１６の先端の一対の突子１９，１９の角度が機構板２の透孔２９の切欠３０に合致位置になり、取付軸１５の軸端の突子１９，１９を機構板２の裏面に挿通突出させることができる。そして取付軸１５を時計回りと反対方向へ９０度回転することにより、軸部１６の軸端に設けた突子１９，１９を機構板２の透孔２９の円周の裏側縁に係止させてカーブレール５を機構板２に取付設置する。
【００１８】
前記外板８の各透孔２１の外周辺にストッパ３５を設け、取付軸１５の回動範囲を９０度に規制するようにするのが好ましい。また、前記取付軸１５の頭部１７は菱形とし、取付軸１５の９０度回転操作に便利とするのが好ましい。
【００１９】
【発明の効果】
以上説明したように本発明によれば、カーブレールの組み立てと機構板への取付を、同じ取付軸により同軸に挿着することを可能にし、従来のようにカーブレールを組み立てるためのビスと機構板へ取付るためのビスとの２種のビスの使用を排除し、しかも金属のビスの使用を排除し、部品点数を削減するとともに合成樹脂材による一体成形により容易かつ安価に形成することを可能にした。更に、カーブレールに対する組み立ても従来に比し簡便にし作業能率を向上させることができる等の効果を奏する。
【図面の簡単な説明】
【図１】パチンコ機の裏面図である。
【図２】本発明のカーブレールの分解斜視図である。
【図３】本発明の取付軸を挿着する前の状態を示すカーブレールの組み立て斜視図である。
【図４】本発明のカーブレールの外板の側から示す組み立て斜視図である。
【図５】本発明のカーブレールの裏板の側から示す組み立て斜視図である。
【図６】本発明のカーブレールを機構板に設置する前の状態を示す要部の分解斜視図である。
【図７】本発明のカーブレールをパチンコ機に設置して示す裏面斜視図である。
【図８】本発明のカーブレールをパチンコ機に設置して示す要部拡大正面図である。
【図９】本発明のカーブレールを取付軸で組み立てた軸着状態を示す要部拡大断面図である。
【図１０】本発明のカーブレールを取付軸で機構板に設置した軸着状態を示す要部拡大断面図である。
【符号の説明】
２          機構板
５          カーブレール
８          外板
１０        裏板
１１        仕切板
１５        取付軸
１６        軸部
１７        頭部
１８        係止爪
１９        突子
２１        透孔
２２        切欠
２４        透孔
２５        切欠
２７        透孔
２８        切欠
２９        透孔
３０        切欠
【図１】
0004132092.tif 000002
【図２】
0004132092.tif 000003
【図３】
0004132092.tif 000004
【図４】
0004132092.tif 000005
【図５】
0004132092.tif 000006
【図６】
0004132092.tif 000007
【図７】
0004132092.tif 000008
【図８】
0004132092.tif 000009
【図９】
0004132092.tif 000010
【図１０】
0004132092.tif 000011